(57)【要約】【課題】  画像表示装置の使い方や保持状態によりユーザインタフェースを変更することができる画像表示装置、画像表示方法およびプログラムを提供する。【解決手段】  画像および操作画面を表示する表示部と、表示部上に設けられ、操作信号を発する第１操作部と、表示部の裏面に設けられた、操作信号を発する第２操作部と、画像表示装置の保持状態を検出する保持状態検出部と、保持状態に応じて表示部に表示する画像の表示方法を決定する画像表示方法決定部と、表示内容を決定する画像処理部と、保持状態に応じて第１操作部と第２操作部とを制御する操作制御部とを有し、保持状態に応じて、表示部に表示する画像の表示方法および表示内容ならびに、第１操作部と第２操作部の制御方法のうち１以上を変更することで、画像表示装置の保持状態に応じたユーザインタフェースとすることにより、上記課題を解決する。【選択図】図３
2010108071.tif 000002
【特許請求の範囲】
【請求項１】
画像を表示する画像表示装置であって、
前記画像および操作画面の少なくとも一方を表示する表示部と、
前記表示部上に設けられ、自身への接触を検出することにより操作信号を発する第１操作部と、
前記表示部の裏面に設けられ、自身への接触を検出することにより操作信号を発する第２操作部と、
前記画像表示装置の保持状態を検出する保持状態検出部と、
前記保持状態検出部で検出された前記保持状態に応じて、前記表示部に表示する前記画像の表示方法を決定する画像表示方法決定部と、
前記保持状態検出部で検出された前記保持状態に応じて、前記表示部に表示する前記画像の表示内容を決定する画像処理部と、
前記保持状態検出部で検出された前記保持状態に応じて、前記第１操作部と、前記第２操作部とを制御する操作制御部とを有し、
前記画像表示方法決定部が、検出された前記保持状態に応じて行う前記表示部に表示する前記画像の表示方法の変更処理、前記画像処理部が、検出された前記保持状態に応じて行う前記表示部に表示する前記画像の表示内容の変更処理、および、前記操作制御部が、検出された前記保持状態に応じて行う前記第１操作部と前記第２操作部の制御方法の変更処理のうち１以上を行うことで、前記画像表示装置の保持状態に応じたユーザインタフェースに変更することを特徴とする画像表示装置。
【請求項２】
前記保持状態が、ユーザの両手で保持されている状態であるときは、前記第１操作部を前記ユーザの親指で操作し、前記第２操作部を前記ユーザの人差し指、中指、薬指および小指のうち１以上で操作することを特徴とする請求項１に記載の画像表示装置。
【請求項３】
前記表示部に表示された前記画像および前記操作画面と、前記第２操作部を操作する前記ユーザの指のうちの１本の指の長さを検出して推測した、前記表示部より小さい前記操作する１本の指の可動範囲とを対応させることを特徴とする請求項２に記載の画像表示装置。
【請求項４】
保持する位置に応じて、前記操作する１本の指の可動範囲が変更されることを特徴とする請求項３に記載の画像表示装置。
【請求項５】
前記第２操作部を操作する指は、人差し指、中指、薬指および小指のうち３本の指が前記第２操作部に接触しているときに、残りの１本の指を前記操作する１本の指とすることを特徴とする請求項３または４に記載の画像表示装置。
【請求項６】
前記第２操作部は、さらに前記表示部の側面にも設けられていることを特徴とする請求項１〜５のいずれかに記載の画像表示装置。
【請求項７】
画像を表示する画像表示装置であって、
前記画像および操作画面の少なくとも一方を表示する表示部と、
前記表示部上に設けられ、自身への接触を検出することにより操作信号を発する第１操作部と、
前記表示部の側面に設けられ、自身への接触を検出することにより操作信号を発する第２操作部と、
前記画像表示装置の保持状態を検出する保持状態検出部と、
前記保持状態検出部で検出された前記保持状態に応じて、前記表示部に表示する前記画像の表示方法を決定する画像表示方法決定部と、
前記保持状態検出部で検出された前記保持状態に応じて、前記表示部に表示する前記画像の表示内容を決定する画像処理部と、
前記保持状態検出部で検出された前記保持状態に応じて、前記第１操作部と、前記第２操作部とを制御する操作制御部とを有し、
前記画像表示方法決定部が、検出された前記保持状態に応じて行う前記表示部に表示する前記画像の表示方法の変更処理、前記画像処理部が、検出された前記保持状態に応じて行う前記表示部に表示する前記画像の表示内容の変更処理、および、前記操作制御部が、検出された前記保持状態に応じて行う前記第１操作部と前記第２操作部の制御方法の変更処理のうち１以上を行うことで、前記画像表示装置の保持状態に応じたユーザインタフェースに変更することを特徴とする画像表示装置。
【請求項８】
前記保持状態が、机上または載置台に置くことにより保持されている状態、あるいは、ユーザの片手で保持されている状態であるときは、前記第１操作部のみにより操作することを特徴とする請求項１〜７のいずれかに記載の画像表示装置。
【請求項９】
前記表示部に設けられた前記第１操作部は、タッチパネルである請求項１〜８のいずれかに記載の画像表示装置。
【請求項１０】
前記裏面および／または前記側面も、前記画像および前記操作画面の少なくとも一方を表示する表示部である請求項１〜９のいずれかに記載の画像表示装置。
【請求項１１】
前記裏面および／または前記側面の表示部に設けられた前記第２操作部は、タッチパネルである請求項１０に記載の画像表示装置。
【請求項１２】
前記画像表示装置が、デジタルフォトフレームである請求項１〜１１のいずれかに記載の画像表示装置。
【請求項１３】
画像および操作画面を表示する表示部と、前記表示部上に設けられた第１操作部と、前記表示部の裏面に設けられた第２操作部とを有する画像表示装置に前記画像を表示する画像表示方法であって、
前記表示部に前記画像および前記操作画面を表示するステップと、
前記第１操作部で前記第１操作部自身への接触を検出することにより操作信号を発するステップと、
前記第２操作部で前記第２操作部自身への接触を検出することにより操作信号を発するステップと、
前記画像表示装置の保持状態を検出するステップと、
前記保持状態に応じて、前記表示部への前記画像の表示方法を決定するステップと、
前記保持状態に応じて、前記表示部へ表示する前記画像の表示内容を決定するステップと、
前記保持状態に応じて、前記表示部と、前記第１操作部と、前記第２操作部とを制御するステップと、
前記保持状態に応じて、前記画像の表示方法、表示内容、および、前記第１操作部と前記第２操作部の制御方法のうち１以上を変更するステップとを有し、
前記画像表示装置の保持状態に応じたユーザインタフェースに変更することを特徴とする画像表示方法。
【請求項１４】
画像および操作画面を表示する表示部と、前記表示部上に設けられた第１操作部と、前記表示部の裏面に設けられた第２操作部とを有する画像表示装置に前記画像を表示させるための画像表示方法をコンピュータに実行させるためのプログラムであって、
前記表示部に前記画像および前記操作画面を表示するステップと、
前記第１操作部で前記第１操作部自身への接触を検出することにより操作信号を発するステップと、
前記第２操作部で前記第２操作部自身への接触を検出することにより操作信号を発するステップと、
前記画像表示装置の保持状態を検出するステップと、
前記保持状態に応じて、前記表示部への前記画像の表示方法を決定するステップと、
前記保持状態に応じて、前記表示部へ表示する前記画像の表示内容を決定するステップと、
前記保持状態に応じて、前記表示部と、前記第１操作部と、前記第２操作部とを制御するステップと、
前記保持状態に応じて、前記画像の表示方法、表示内容、および、前記第１操作部と前記第２操作部の制御方法のうち１以上を変更するステップとを有し、
前記画像表示装置の保持状態に応じたユーザインタフェースに変更することを特徴とする画像表示方法をコンピュータに実行させるためのプログラム。
【請求項１５】
前記コンピュータは、前記画像表示装置を構成するコンピュータである請求項１４に記載のプログラム。
【発明の詳細な説明】
【技術分野】
【０００１】
本発明は、タッチパネルをおもて面に配置し、タッチパネルまたはタッチパッドを裏面および／または側面に配置し、画像表示装置の保持状態に応じて画像の表示方法、表示内容および、タッチパネルまたはタッチパッドの制御方法を変更することで、画像表示装置の保持状態に応じたユーザインタフェースとすることができる画像表示装置、画像表示方法およびプログラムに関する。
【背景技術】
【０００２】
従来、画像表示装置の１つであるデジタルフォトフレーム（以下、ＤＰＦともいう）で画像を表示する場合には、机の上等に置いて画像を鑑賞する場合でも、操作者が手に持って鑑賞する場合であっても、ユーザインタフェースは同じであった。また、画像を表示することができる携帯音楽プレーヤにおいては、タッチパネルを用いたもの、加速度センサ等を用いて携帯音楽プレーヤの向きに応じて画面の向きを変更するものもある。
【０００３】
特許文献１では、表示装置の裏面にキーを配置し、本体を手の腹部で支持しつつ、人差し指から小指でのキー操作が可能となり、押圧キーとその周辺キーを確認、修正できる情報表示入力装置が示されている。また、キーを押圧すると表示装置に押圧の位置確認のためのキー配列が表示され、さらに、キー配列領域内を透過性のある材質で構成することにより、タッチパネルへの押圧操作の指を前面より視認できることが示されている。
【０００４】
非特許文献１では、表示装置の裏面にタッチパッドを配置し、本体を手の腹部で支持しつつ、人差し指から小指で裏面のタッチパッドを操作し、指の動きを背面から突き出たアーム上に設置されたカメラで捉えることにより、指を表示画面上に半透明にして重畳表示し、あたかも画面の向こう側が透けて見えるかのようにするマルチタッチ入力インタフェースが示されている。
【０００５】
【特許文献１】特開２００７−１６４７６７号公報
【非特許文献１】http://japanese.engadget.com/2007/08/24/microsoft-research-lucidtouch/（Microsoft Research の「両面」マルチタッチパネル：LucidTouch）
【発明の開示】
【発明が解決しようとする課題】
【０００６】
しかしながら、操作者が手に持って鑑賞する場合では、机の上等に置いた場合よりも指の動きが制限され、机の上等に置いた場合と同一のユーザインタフェースでは、操作しづらいことがあった。
また、特許文献１に記載の情報表示入力装置においては、背面に設置されたタッチパネルによってキー入力を行うことができるが、裏面からの文字入力を正確に行うための手法であるので、入力されたキーを確認するために表示画面上に押圧したキーが表示され、表示内容にキー表示という障害物が発生し、表示内容を１００％楽しみつつ操作を行うということできない。さらに、操作面は裏面のみであるため、おもて面と裏面の両方を操作面とすることは開示されていない。
【０００７】
非特許文献１に記載のマルチタッチ入力インタフェースにおいては、背面から突き出たカメラによって指の動きを検出しているため、背面から突き出たカメラが携帯性を損ない、ＤＰＦに適用するには実用的ではない。
【０００８】
本発明の目的は、上記従来技術の問題点を解消し、画像表示装置の使い方や保持状態によりユーザインタフェースを変更することで、画像表示装置の保持状態に応じ自動的に最適なユーザインタフェースとし、表示内容を１００％楽しみつつ操作を行うことができる画像表示装置、画像表示方法およびプログラムを提供することにある。
【課題を解決するための手段】
【０００９】
上記課題を解決するために、本発明は、画像を表示する画像表示装置であって、前記画像および操作画面の少なくとも一方を表示する表示部と、前記表示部上に設けられ、自身への接触を検出することにより操作信号を発する第１操作部と、前記表示部の裏面に設けられ、自身への接触を検出することにより操作信号を発する第２操作部と、前記画像表示装置の保持状態を検出する保持状態検出部と、前記保持状態検出部で検出された前記保持状態に応じて、前記表示部に表示する前記画像の表示方法を決定する画像表示方法決定部と、前記保持状態検出部で検出された前記保持状態に応じて、前記表示部に表示する前記画像の表示内容を決定する画像処理部と、前記保持状態検出部で検出された前記保持状態に応じて、前記第１操作部と、前記第２操作部とを制御する操作制御部とを有し、前記画像表示方法決定部が、検出された前記保持状態に応じて行う前記表示部に表示する前記画像の表示方法の変更処理、前記画像処理部が、検出された前記保持状態に応じて行う前記表示部に表示する前記画像の表示内容の変更処理、および、前記操作制御部が、検出された前記保持状態に応じて行う前記第１操作部と前記第２操作部の制御方法の変更処理のうち１以上を行うことで、前記画像表示装置の保持状態に応じたユーザインタフェースに変更することを特徴とする画像表示装置を提供する。
【００１０】
ここで、前記保持状態が、ユーザの両手で保持されている状態であるときは、前記第１操作部を前記ユーザの親指で操作し、前記第２操作部を前記ユーザの人差し指、中指、薬指および小指のうち１以上で操作するのが好ましい。
また、前記表示部に表示された前記画像および前記操作画面と、前記第２操作部を操作する前記ユーザの指のうちの１本の指の長さを検出して推測した、前記表示部より小さい前記操作する１本の指の可動範囲とを対応させるのが好ましい。
また、保持する位置に応じて、前記操作する１本の指の可動範囲が変更されるのが好ましい。
また、前記第２操作部を操作する指は、人差し指、中指、薬指および小指のうち３本の指が前記第２操作部に接触しているときに、残りの１本の指を前記操作する１本の指とするのが好ましい。
また、前記第２操作部は、さらに前記表示部の側面にも設けられているのが好ましい。
【００１１】
さらに、上記課題を解決するために、本発明は、画像を表示する画像表示装置であって、前記画像および操作画面の少なくとも一方を表示する表示部と、前記表示部上に設けられ、自身への接触を検出することにより操作信号を発する第１操作部と、前記表示部の側面に設けられ、自身への接触を検出することにより操作信号を発する第２操作部と、前記画像表示装置の保持状態を検出する保持状態検出部と、前記保持状態検出部で検出された前記保持状態に応じて、前記表示部に表示する前記画像の表示方法を決定する画像表示方法決定部と、前記保持状態検出部で検出された前記保持状態に応じて、前記表示部に表示する前記画像の表示内容を決定する画像処理部と、前記保持状態検出部で検出された前記保持状態に応じて、前記第１操作部と、前記第２操作部とを制御する操作制御部とを有し、前記画像表示方法決定部が、検出された前記保持状態に応じて行う前記表示部に表示する前記画像の表示方法の変更処理、前記画像処理部が、検出された前記保持状態に応じて行う前記表示部に表示する前記画像の表示内容の変更処理、および、前記操作制御部が、検出された前記保持状態に応じて行う前記第１操作部と前記第２操作部の制御方法の変更処理のうち１以上を行うことで、前記画像表示装置の保持状態に応じたユーザインタフェースに変更することを特徴とする画像表示装置を提供する。
【００１２】
さらに、前記保持状態が、机上または載置台に置くことにより保持されている状態、あるいは、ユーザの片手で保持されている状態であるときは、前記第１操作部のみにより操作するのが好ましい。
また、前記表示部に設けられた前記第１操作部は、タッチパネルであるのが好ましい。
また、前記裏面および／または前記側面も、前記画像および前記操作画面の少なくとも一方を表示する表示部であるのが好ましい。
また、前記裏面および／または前記側面の表示部に設けられた前記第２操作部は、タッチパネルであるのが好ましい。
また、前記画像表示装置が、デジタルフォトフレームであるのが好ましい。
【００１３】
さらに、上記課題を解決するために、本発明は、画像および操作画面を表示する表示部と、前記表示部上に設けられた第１操作部と、前記表示部の裏面に設けられた第２操作部とを有する画像表示装置に前記画像を表示する画像表示方法であって、前記表示部に前記画像および前記操作画面を表示するステップと、前記第１操作部で前記第１操作部自身への接触を検出することにより操作信号を発するステップと、前記第２操作部で前記第２操作部自身への接触を検出することにより操作信号を発するステップと、前記画像表示装置の保持状態を検出するステップと、前記保持状態に応じて、前記表示部への前記画像の表示方法を決定するステップと、前記保持状態に応じて、前記表示部へ表示する前記画像の表示内容を決定するステップと、前記保持状態に応じて、前記表示部と、前記第１操作部と、前記第２操作部とを制御するステップと、前記保持状態に応じて、前記画像の表示方法、表示内容、および、前記第１操作部と前記第２操作部の制御方法のうち１以上を変更するステップとを有し、前記画像表示装置の保持状態に応じたユーザインタフェースに変更することを特徴とする画像表示方法を提供する。
【００１４】
また、上記課題を解決するために、本発明は、画像および操作画面を表示する表示部と、前記表示部上に設けられた第１操作部と、前記表示部の裏面に設けられた第２操作部とを有する画像表示装置に前記画像を表示させるための画像表示方法をコンピュータに実行させるためのプログラムであって、前記表示部に前記画像および前記操作画面を表示するステップと、前記第１操作部で前記第１操作部自身への接触を検出することにより操作信号を発するステップと、前記第２操作部で前記第２操作部自身への接触を検出することにより操作信号を発するステップと、前記画像表示装置の保持状態を検出するステップと、前記保持状態に応じて、前記表示部への前記画像の表示方法を決定するステップと、前記保持状態に応じて、前記表示部へ表示する前記画像の表示内容を決定するステップと、前記保持状態に応じて、前記表示部と、前記第１操作部と、前記第２操作部とを制御するステップと、前記保持状態に応じて、前記画像の表示方法、表示内容、および、前記第１操作部と前記第２操作部の制御方法のうち１以上を変更するステップとを有し、前記画像表示装置の保持状態に応じたユーザインタフェースに変更することを特徴とする画像表示方法をコンピュータに実行させるためのプログラムを提供する。
【００１５】
ここで、前記コンピュータは、前記画像表示装置を構成するコンピュータであるのが好ましい。
【発明の効果】
【００１６】
本発明によれば、画像表示装置の使い方や保持状態を検出することで、該保持状態に応じて自動的に最適なユーザインタフェースとし表示内容を変更することで、操作者が最適なユーザインタフェースで表示内容を１００％楽しみつつ操作を行うことができる。
【００１７】
また、本発明の一態様によれば、おもて面のタッチパネルと裏面および／または側面のタッチパネルまたはタッチパッドにより操作をすることで、操作性を向上させることができる。
【００１８】
さらに、本発明の一態様によれば、表示画面を裏面および／または側面のタッチパネルまたはタッチパッドの指が届く範囲に対応させることで、さらに操作性を向上させることができる。
【発明を実施するための最良の形態】
【００１９】
本発明に係る画像表示装置について、添付の図面に示す好適実施形態に基づいて以下に詳細に説明する。
【００２０】
図１は、本発明の画像表示装置の装置構成の一実施形態を示すブロック図であり、図２は本発明の画像表示装置であるＤＰＦ１０の外観を示す概略図である。
図１に示す画像表示装置であるＤＰＦ１０は、カードリーダ１２、記憶部１４、ＣＰＵ１６、ＲＡＭ１８、画像処理部２０、画像表示方法決定部２２、表示部２４、保持状態検出部２６、第１操作部２８、第２操作部３０、操作制御部３２、および通信部３４を有する。
【００２１】
カードリーダ１２は、ＤＰＦ１０に表示させる画像データ等を入力するための手段である。カードリーダ１２は、ＳＤメモリーカード、ｘＤピクチャーカード等から画像データ等を読み込んでＤＰＦ１０に入力することができる。また、カードリーダ１２にＵＳＢ（Universal Serial Bus）インタフェースを設け、ＵＳＢメモリ等を用いて画像データ等を入力することもできる。
記憶部１４は、入力された画像データ等を記憶するためのもので、ＨＤＤ（Hard Disk Drive）あるいはＳＳＤ（Solid State Drive）等を用いることができる。
ＣＰＵ１６は、カードリーダ１２や記憶部１４等の各部を制御等するためのもので、各種のＣＰＵを用いることができ、ＤＰＦの携帯性を考慮すると組込用途向けのＣＰＵを用いるのがよい。例えば、ＭＩＰＳ（登録商標）アーキテクチャ、ＡＲＭ（商標）アーキテクチャ等のＣＰＵを用いることができる。
ＲＡＭ１８は、いわゆるメモリであり、ＣＰＵ１６の演算結果等を一時的に記憶するためのものである。
【００２２】
画像処理部２０は、表示する画像データ等に対して、スクロール、回転、フレームを重畳表示する等の画像処理を行ったり、メニューボタンと画像データを重畳表示させる画像処理等を行う。画像処理部２０で処理されたデータは、後述する画像表示方法決定部２２に送られ、表示部２４にて表示される。また、表示するものは画像だけでなく、動画、テキスト等のようなコンテンツであればよく、これらの各コンテンツおよびメニューボタンを単独あるいは重畳して表示部２４に表示するデータとすることもできる。
【００２３】
画像表示方法決定部２２は、後述する保持状態検出部２６で検出した保持状態情報から、表示部２４での画像表示方法を決定する。例えば、ＤＰＦ１０が机（載置台等の置くことができるものであれば何でもよい）の上に置かれている場合には、ＤＰＦ１０のおもて面側のタッチパネルである、後述する第１操作部２８のみを用い、机の上で画像の鑑賞および操作がしやすいユーザインタフェースとし、両手でＤＰＦ１０が保持されている場合には、ＤＰＦ１０のおもて面のタッチパネル、ならびに、裏面および／または側面のタッチパネルまたはタッチパッド、すなわち第１操作部２８と第２操作部３０の両方を用いた、両手での操作がしやすいユーザインタフェースとすることができる。
【００２４】
表示部２４は、図２（Ａ）に示すＤＰＦ１０のおもて面に設置され、ＦＰＤ（Flat Panel Display）を用い、画像データや操作ボタン等を表示することができる。ＦＰＤは、例えば液晶や有機ＥＬ（Electro Luminescence）等が挙げられる。
【００２５】
保持状態検出部２６は、ＤＰＦ１０の保持状態を検出するためのもので、後述する第１操作部２８および第２操作部３０に操作者が触れると操作信号が発せられ、該操作信号を受信して操作情報を生成し、ＤＰＦ１０の保持状態を検出する。
第１操作部２８および第２操作部３０のどちらからも操作信号が発せられていない場合には、ＤＰＦ１０は机の上等に置かれていると判断し、その旨の保持状態情報を生成する。表示部２４の表面側に配置されている第１操作部２８のみ操作信号が発せられている場合、机の上等に置かれている状態で操作者が操作を行うと判断し、その旨の操作情報および保持状態情報を生成する。
【００２６】
図２（Ｂ）に示すＤＰＦ１０の裏面に配置されている第２操作部３０のみ操作信号が発せられている場合であるか、第１操作部２８および第２操作部３０の両方から操作信号が発せられている場合には、ＤＰＦ１０は両手あるいは片手で持ち上げられて保持されていると判断する。
両手で保持されている場合は、第２操作部３０に両手の指が接触するので、それぞれの指の接触位置に対応した操作信号から、両手で保持されていると判断することができる。
左右どちらかの片手で保持されている場合には、第２操作部３０に片手の指のみ接触するので、それぞれの指の接触位置に対応した操作信号から、左右どちらの手で保持されているかを判断することができる。これらの保持状態の判断結果より、保持状態情報を生成する。
なお、保持状態を検出する手段として加速度センサ等の各種センサを、第１操作部および第２操作部の他に用いてもよい。
【００２７】
また、第２操作部３０の操作信号から、ＤＰＦ１０の裏面に接触している指のうち、操作を行っている指が、操作中は他の指に比べ頻繁に第２操作部３０から離れる（浮く）こと等を検出することで、どの指で操作が行われているかを識別し、操作指識別情報を生成する。
生成された操作情報、保持状態情報および操作指識別情報は、画像表示方法決定部２２、および後述する操作制御部３２等に送信される。
【００２８】
第１操作部２８は、図２（Ａ）に示すＤＰＦ１０のおもて面に設置されたタッチパネルであり、抵抗膜方式、静電容量方式等の各種方式のタッチパネルを用いることができる。第１操作部２８は、表示部２４のＦＰＤ上に設けられており、ＦＰＤに表示された操作ボタン等を指やタッチペン等で押す、あるいは直接画像を動かす等の操作を行うことができ、操作信号を保持状態検出部２６に送信する。
【００２９】
第２操作部３０は、図２（Ｂ）に示すＤＰＦ１０の裏面に設置され、タッチパネルまたはタッチパッドを用いることができる。表示部２４に裏面まで光が透過する材質を用いた場合には、タッチパネルを用いることで透過性を確保し、表示部２４が透過型ではない場合には、光を透過させる必要がないためタッチパッドを用いる。タッチパネル、タッチパッドとも、抵抗膜方式、静電容量方式等の各種方式のものを用いることができる。
第２操作部３０は、上下左右に動かす等の操作する指の動きを操作信号とし、保持状態検出部２６に送信する。なお、第２操作部３０の操作信号は、おもて面側に設置されている第１操作部の座標と対応させることができる。
【００３０】
さらに、第２操作部３０をＤＰＦ１０の側面に設置することもできる。第２操作部３０をＤＰＦ１０の側面に設置することによっても、ＤＰＦ１０の裏面に第２操作部３０を設置した場合と同様、片手で保持しているか両手で保持しているか等を検知することができ、人指し指を立てる様にして、各種操作を行うこともできる。また、側面に細長い表示部を設け、第２操作部３０をタッチパネルとすることで、細長い表示部にサムネイル画像や操作ボタンを表示して、これらを操作することもできる。
なお、ＤＰＦ１０のおもて面に第１操作部２８を設け、裏面に第２操作部３０を設け、さらに側面にも第２操作部３０を設けてもよい。
【００３１】
また、第２操作部３０は、ＤＰＦ１０の裏面のうち、必ずしも表示部２４と設置位置を合わせる必要はなく、表示部２４とずれて設置してもよい。例えば、折りたたみ型のＤＰＦ１０であれば、上部筐体の内側に第２操作部３０を設け、下部筐体の内側に表示部２４と第１操作部２８とを設け、上部筐体を開けて一回転させることで、第２操作部３０が表示部２４の裏面に位置するようにしてもよい。また、上部筐体の内側に表示部２４と第１操作部２８とを設け、下部筐体の外側、すなわち裏面に第２操作部３０を設け、上部筐体を開けて半回転させ、上部筐体の内側の表示部２４に表示された画面の操作を、下部筐体の裏面に設置された第２操作部３０によって操作してもよい。このとき、下部筐体の内側、すなわちおもて面に、さらに表示部と操作部とを設けてもよい。
また、別のＤＰＦ１０の形態として、上部筐体と下部筐体とが重なった状態から、上下または左右にスライドするスライド型のＤＰＦ１０とすることもできる。スライド型のＤＰＦ１０の、上部筐体のおもて面（外側）に表示部２４と第１操作部２８とを設け、下部筐体の裏面（外側）に第２操作部３０を設けてもよい。このとき、下部筐体のおもて面（内側）には、文字入力用のキーボード等を設けてもよい。
【００３２】
操作制御部３２は、保持状態検出部２６から取得した操作情報、保持状態情報および操作指識別情報に基づいて、第１操作部２８および第２操作部３０を制御する。例えば、ＤＰＦ１０が両手で保持されている場合には、第１操作部２８および第２操作部３０の感度を上げたり、第２操作部３０において、指の届く範囲を表示画面全体と対応付けを行うことで、指を大きく動かさなくても表示画面全体に対して操作を行うことができる。また、ＤＰＦ１０が机の上に置かれている場合には、裏面の第２操作部３０は操作を行わず、持ち上げられた場合にその旨を検出すればよいだけなので、誤操作防止のために感度を下げることができる。
さらに、片手で保持している場合には、左右どちらの手で保持しているかを保持状態検出部２６より保持状態情報として取得し、保持していない方の手で操作がしやすいように、ユーザインタフェースを変更することもできる。
【００３３】
通信部３４は、ＤＰＦ１０で表示する画像や動画等のコンテンツのデータ等を、ネットワークを介して入手する場合に使用する。通信部３４は、有線または無線によりネットワークに接続され、パーソナルコンピュータ（以下、ＰＣという）や、インターネット等からコンテンツ等のデータを取得することができる。
【００３４】
図３（Ａ）および（Ｂ）は、本発明における、ＤＰＦ１０を両手で保持した場合の第１操作例の説明図である。以下、図３に従い、第１操作例の作用について説明する。
【００３５】
ＤＰＦ１０が両手で保持され、画像等を鑑賞するときは、図３（Ａ）に示すように、親指４２が表示部２４にかかって、表示部２４に表示された画像等の鑑賞を妨げないように表示部２４の枠の部分に親指４２を置き、裏面の他の指とでＤＰＦ１０が保持される。
第２操作部３０には他の指が置かれ、例えば、図３（Ｂ）に示すように、人差し指４４によって操作を行うことができる。操作により第２操作部３０は操作信号を発生させ、保持状態検出部２６へ送信する。
【００３６】
例えば、ＤＰＦ１０にて画像を表示している場合には、第２操作部３０を人差し指４４で上下左右に動かす、あるいはタップするなどの操作によって、画像のスクロールや回転を行い、スライドショーとして画像を鑑賞中の場合には、スライドショーの早送り、巻き戻し、一時停止等を行う。また、動画を鑑賞中の場合は、頭出し、早送り、巻き戻し、一時停止、コマ送り等の操作を行う。
これにより、鑑賞中の画像等の表示内容を妨げることなく、表示内容に対して各種の操作を行うことができる。なお、画像等の鑑賞を妨げるので、第１操作部２８のためのボタン等は画像等の鑑賞中には表示させず、これにより表示部２４の画面全体で画像等を鑑賞することができる。
【００３７】
保持状態検出部２６は、第２操作部３０から受信した操作信号から操作情報、保持状態情報および操作指識別情報を生成し、画像処理部２０、画像表示方法決定部２２等へ送信する。
図３の例では、人差し指４４の操作に伴う操作信号から、スライドショー等の早送り、巻き戻し、一時停止等の操作情報を生成する。また、図３（Ｂ）では煩雑となるため省略しているが、両手の指が第２操作部３０に触れていることから、両手で保持されているという保持状態情報を生成する。さらに、操作を行っている人差し指４４は、操作中は他の指に比べ頻繁に第２操作部３０から離れる（浮く）ことで、操作指は人差し指であるという操作指識別情報を生成する。
【００３８】
画像処理部２０は、保持状態検出部２６から受信した操作情報に基づいて、表示する画像等のコンテンツに早送り等の操作やスクロール等の画像処理等を行う。画像処理が施された画像等のデータは画像表示方法決定部２２へと送信される。
【００３９】
画像表示方法決定部２２は、画像処理部２０から受信した画像等のデータに対して、操作情報、保持状態情報および操作指識別情報に基づいて、表示部２４での表示方法を決定する。
図３の例では、ＤＰＦ１０は両手で保持されているので、表示部２４には画像処理部２０から受信した画像等のデータを全面表示し、操作ボタン等を表示しない旨を決定する。この決定に基づき、画像表示方法決定部２２から表示部２４に、表示用の画像等のデータが送信され、表示部２４にて該画像等が表示される。
【００４０】
次に、本発明の第２操作例について説明する。図４および５は本発明の第２操作例を説明するための説明図である。図４および図５に示す本発明の第２操作例のＤＰＦ１０は、第１操作例と同一の構成を有するものである。
図４に示すように、ＤＰＦ１０が両手で保持され、画像等を選択するなどの操作を行う場合には、親指４２によって表示部２４に表示された操作ボタン等を操作することができる。以下、主に、本操作例が図３に示す第１操作例と異なる点について説明する。
【００４１】
図４に示すように、親指４２は短いため、ＤＰＦ１０を両手で保持したまま第１操作部２８の全面に渡って操作することはできない。従って、図５に示すように、表示部２４上に設けられた第１操作部２８のうち、左右の縁に近い縁の操作領域４６に操作ボタン等を表示し操作を行う。該操作は第１操作部２８により操作信号として検出され、保持状態検出部２６へと送信される。
【００４２】
人差し指４４は親指４２に比べ長いので、親指４２によって操作することができない部分である中央の操作領域４８を、裏面に設置された第２操作部３０によって操作する。例えば、中央の操作領域４８に対応した表示部２４の中央部分に、画像等の選択のためにサムネイル画像を表示した場合には、該サムネイル画像を選択するために、第２操作部３０を人差し指４４で操作する。これにより、中央の操作領域４８と対応する表示部２４に表示されたサムネイル画像を選択することができ、該操作は第２操作部３０により操作信号として検出され、保持状態検出部２６へと送信される。
このように、ＤＰＦ１０の両面に設けられた第１操作部２８および第２操作部３０を用いることで、両手でＤＰＦ１０を保持したまま、各種の操作を行うことができる。
【００４３】
保持状態検出部２６は、第１操作部２８および第２操作部３０から受信した操作信号から、操作情報、保持状態情報および操作指識別情報を生成し、画像処理部２０、画像表示方法決定部２２等へ送信する。
図４および図５の例では、人差し指４４の操作に伴う操作信号から、サムネイル画像を選択する操作情報を生成し、親指４２の操作に伴う操作信号から、操作ボタンを操作する操作情報を生成する。なお、両手でＤＰＦ１０を保持している場合には、第１操作部２８は親指４２のみで操作されるため、第１操作部２８に対する操作指識別情報は生成されない。
【００４４】
画像処理部２０は、保持状態検出部２６から受信した操作情報に基づいて、対応した操作や画像処理等を行う。操作の結果や画像処理が施された画像等のデータは、画像表示方法決定部２２へと送信され、表示部２４での表示方法を決定し、操作情報等に基づいた画面が表示される。
【００４５】
ここで、本発明の第２操作例において、操作者の手が小さい、または、ＤＰＦ１０が手に対して大きい場合、ＤＰＦ１０の裏面に配置されている第２操作部３０の全面を、人差し指〜小指で操作することができない場合が発生する。
図６（Ａ）は操作者の手が小さい、または、ＤＰＦ１０が手に対して大きい場合のＤＰＦ１０の裏面を示す図であり、図６（Ｂ）はこのときのＤＰＦ１０のおもて面を示す図である。図６（Ａ）では、第２操作部３０において、操作者の両手の人差し指４４、４４の間に長さＬの隙間が開いているため、このＬに相当する部分はこのままでは操作することができない。
【００４６】
そこで、図６（Ｃ）に示すように、操作者の人差し指４４、４４の長さＭを、第２操作部３０の接触位置等から求め、人差し指４４、４４の可動範囲を推測する。
次に、図６（Ｄ）に示すように、推測した可動範囲５０Ａおよび５０Ｂを、おもて面側の表示部２４のうち、右半分を右手の人差し指の可動範囲５０Ａと対応させ、左半分を左手の人差し指４４の可動範囲５０Ｂと対応させることで、人差し指４４の可動範囲内で表示部２４の画面上の全ての位置を操作することができる。
【００４７】
操作者が、ＤＰＦ１０のどの部分を持つかは、各操作者により異なるため、上記の推測された人差し指４４の可動範囲は可変である。
例えば、図７に示すように、操作者がＤＰＦ１０の下側を保持した場合には、人差し指〜小指の第２操作部３０への接触位置から、ＤＰＦ１０の下側を保持していると推測し、新たに人差し指４４、４４の可動範囲を推測する。その後、図６（Ｄ）に示す例と同様に、左右の人差し指４４、４４の可動範囲５０Ａ、５０Ｂをそれぞれ表示部２４の右半分と左半分に対応させることができ、人差し指４４の可動範囲内で表示部２４の画面上の全ての位置を操作することができる。
【００４８】
上記図６および図７の例では人差し指で操作する場合を説明したが、操作する指は人差し指〜小指のうちどの指でもよい。
操作する指を識別するには、第２操作部３０に接触している４本の指のうち、操作をする場合は一度指を浮かせる、すなわち、第２操作部３０から指が離れる場合が多い。従って、一番浮いている状態が多い指１本を操作する指と識別することができる。
【００４９】
例えば、図８（Ａ）に示すように、左手の人差し指４４を浮かせて、他の３本の指でＤＰＦ１０を支えている場合は、第２操作部３０から送信される操作信号により、保持状態検出部２６が左手の人差し指４４が操作指であると識別し、操作指識別情報を操作制御部３２等へ送信する。
操作指識別情報を取得した操作制御部３２は、第２操作部３０に対し、左手の人差し指４４だけを操作指と識別している場合には、左手の人差し指４４の可動範囲５０Ｂを表示部２４の全面に対応させ、両手の人差し指４４を操作指と識別している場合には、表示部２４の左半分に対応させる。
【００５０】
図８（Ｂ）に示すように、左手の小指５４を浮かせて、他の３本の指でＤＰＦ１０を支えている場合は、第２操作部３０から送信される操作信号により、保持状態検出部２６が左手の小指５４が操作指であると識別し、操作指識別情報を操作制御部３２等へ送信する。
操作指識別情報を取得した操作制御部３２は、人差し指の場合と同様に、第２操作部３０に対し、左手の小指５４だけを操作指と識別している場合には、左手の小指５４の可動範囲５０Ｂを表示部２４の全面に対応させ、両手の小指５４を操作指と識別している場合には、表示部２４の左半分に対応させる。
【００５１】
次に、本発明の第３操作例について説明する。図９および図１０は本発明の第３操作例を説明するための説明図である。図９および図１０に示す本発明の第３操作例のＤＰＦ１０は、第２操作例と同一の構成を有するものである。
図９に示すように、ＤＰＦ１０が机の上等に置かたり、図１０に示すように片手で保持している場合に、画像等を選択するなどの操作を行うときには、手により表示部２４に表示された操作ボタン等を操作することができる。以下、主に、本操作例が図４および図５に示す第２操作例と異なる点について説明する。
【００５２】
図９に示すＤＰＦ１０は、机の上等に置かれた状態を示すものである。本操作例においては、ＤＰＦ１０を手によって保持していないため、第１操作部２８のみによる操作を行うことができる。また、図１０に示すＤＰＦ１０は、片手で保持された状態を示すものであり、空いている手により第１操作部２８のみによる操作を行うことができる。
第２操作例と同様の各種の操作を行う場合において、操作者は少なくとも片手が空いている状態である。従って、第２操作例と異なり、表示部２４上に設けられた第１操作部２８の全面に渡って、自由に触れることができる。
【００５３】
ＤＰＦ１０を机の上に置いた場合、片手で保持した場合のどちらでも、操作者は第１操作部２８の全面を触って操作することができるので、操作ボタン等の配列は第２操作例と同様に、縁の操作領域４６に相当する画面の左右端に寄せて表示してもよいし、画面の上下に寄せて表示してもよい。また、サムネイル画像等の選択操作も画面上のどこでも可能である。
このとき、第２操作部３０は使用していないので、操作制御部３２は、誤操作を防止するために、保持状態検出部２６から机の上等に置かれているという保持状態情報または、片手により保持されているという保持状態情報を受信したときには、第２操作部３０に対し、感度を下げる制御信号を送信し、タッチパネルまたはタッチパッドの感度を下げておくことが望ましい。
【００５４】
なお、本発明においては、上述した画像表示方法の各工程をコンピュータに実行させるための画像表示プログラムとして構成しても良いし、また、コンピュータを、画像表示方法の各工程を実施する各手段として、または、上述した画像表示装置を構成する各手段として機能させる画像表示プログラムとして構成しても良い。
また、本発明を、上述した画像表示プログラムをコンピュータにより読取可能な媒体またはコンピュータにより読取可能なメモリとして構成してもよい。
【００５５】
以上、本発明の画像表示装置、画像表示方法およびプログラムについて詳細に説明したが、本発明は、上記実施形態に限定されるものではなく、本発明の要旨を逸脱しない範囲において、各種の改良や変更を行ってもよい。
【図面の簡単な説明】
【００５６】
【図１】本発明に係るＤＰＦの一実施形態の概略構成を示すブロック図である。
【図２】（Ａ）および（Ｂ）は、本発明のＤＰＦの外観を示す概略図である。
【図３】（Ａ）および（Ｂ）は、本発明における、ＤＰＦを両手で保持した場合の第１操作例の説明図である。
【図４】本発明の第２操作例を説明するための説明図である。
【図５】本発明の第２操作例を説明するための説明図である。
【図６】（Ａ）は操作者の手が小さい、または、ＤＰＦが手に対して大きい場合のＤＰＦの裏面を示す説明図であり、（Ｂ）はおもて面を示す説明図である。また、（Ｃ）は指の長さの求め方の説明図であり、（Ｄ）は指の可動範囲と表示部との対応付けを示す説明図である。
【図７】操作者がＤＰＦの下側を保持した場合の説明図である。
【図８】（Ａ）および（Ｂ）は、操作する指による違いを説明するための説明図である。
【図９】本発明の第３操作例を説明するための説明図である。
【図１０】本発明の第３操作例を説明するための説明図である。
【符号の説明】
【００５７】
１０  ＤＰＦ
１２  カードリーダ
１４  記憶部
１６  ＣＰＵ
１８  ＲＡＭ
２０  画像処理部
２２  画像表示方法決定部
２４  表示部
２６  保持状態検出部
２８  第１操作部
３０  第２操作部
３２  操作制御部
３４  通信部
４２  親指
４４  人差し指
４６  縁の操作領域
４８  中央の操作領域
５０Ａ  可動範囲（右手）
５０Ｂ  可動範囲（左手）
５４  小指
【図１】
2010108071.tif 000003
【図２】
2010108071.tif 000004
【図３】
2010108071.tif 000005
【図４】
2010108071.tif 000006
【図５】
2010108071.tif 000007
【図６】
2010108071.tif 000008
【図７】
2010108071.tif 000009
【図８】
2010108071.tif 000010
【図９】
2010108071.tif 000011
【図１０】
2010108071.tif 000012